(57)【特許請求の範囲】
【請求項１】
銃の長手方向の軸の方向に三つのカソードから離間し、中心ビームと２本の側方ビームの３本の電子ビームパス中に、少なくともビーム形成領域と主集束レンズを形成する複数の電極を有し、上記電極の各々は上記３本の電子ビームを通過させる３個のインラインの開孔を含み、上記ビーム形成領域は、カソードと、Ｇ１電極とＧ２電極とＧ３電極の３個の順次の電極を含むインライン電子銃であって、
上記Ｇ２電極は、その中のインラインの開孔のいずれかの側部に二つの直線状の突出部を有し、上記突出部は、上記開孔のインライン方向と並行し、重なり合う関係にある上記Ｇ３電極の開孔のある部分を越えて上記長手方向の軸と平行な方向に突出し、
上記Ｇ２の電極に対向する上記Ｇ３電極の側部で、上記Ｇ３電極はインラインの開孔のいずれかの側部に二つの直線状のチャンネルを有し、上記チャンネルは、上記Ｇ２電極の上記突出部と隣接して並び、離間して重ねられた関係にあり、
上記Ｇ２電極の上記各突出部と上記Ｇ３電極の上記隣接して並ぶ一つの上記チャンネルとの間の距離は、上記夫々のインラインの開孔を含む夫々の開孔のある部分における上記Ｇ２電極と上記Ｇ３電極との間の距離よりも大きいことを特徴とするインライン電子銃。
【請求項２】
上記Ｇ２電極の上記各突出部と上記Ｇ３電極の上記隣接して並ぶ一つの上記チャンネルとの間の距離は、上記夫々のインラインの開孔を含む夫々の開孔のある部分における上記Ｇ２電極と上記Ｇ３電極との間の距離よりも４５．９４９１％大きいことを特徴とする請求項１記載のインライン電子銃。
【発明の詳細な説明】
【０００１】
【発明の属する技術分野】
本発明は、カラー受像管に使用されるようなインライン電子銃に係わり、特に、そのビーム形成領域の構造が改良されたインライン電子銃に関する。
【０００２】
【従来の技術】
インライン電子銃は、好ましくは３本の電子ビームを共通の平面で発生又は開始し、そのビームをコンバージェンスパスに沿って受像管スクリーンの近くの１点又は小さいコンバージェンス域に当てることを意図した電子銃である。全てのインライン電子銃は、ビーム形成領域と主集束レンズを有し、前置集束レンズを有する場合もある。ビーム形成領域は、通常、カソードと三つの順次の電極とからなる。前置集束レンズは２又は３の電極からなる場合がある。主集束レンズは、通常、二つの離間した電極により形成される。
【０００３】
【発明が解決しようとする課題】
通常、カソードから２番目のＧ２電極と呼ばれる電極は板状である。かかる板状の形状により、Ｇ２電極は電子銃の動作中に曲げ及び撓みを生ずる。Ｇ２電極を補強するためＧ２電極に小さいビードを付けることは周知である。しかし、かかる補強のある場合でさえ、上記Ｇ２電極は依然として銃の動作中に幾らかの撓みを生じる。
【０００４】
電子銃に起こる別の問題は、カソードから２番目と３番目の電極（Ｇ２とＧ３電極）の間に発生する可能性のあるアークである。かかるアークは、電極の一方がもう一方の電極と対向する突出部を有する場合に強められる。
本発明は、インライン電子銃においてビーム形成領域の構造を改良することにより上記問題を解決する。
【０００５】
【課題を解決するための手段】
本発明の改良されたインライン電子銃は、銃の長手方向の軸の方向に三つのカソードから離間した複数の電極を有する。上記電極は、中心ビームと２本の側方ビームの３本の電子ビームパス中に、少なくともビーム形成領域と主集束レンズを形成する。上記電極の各々は上記３本の電子ビームを通過させる３個のインラインの開孔を含む。上記ビーム形成領域は、カソードと、Ｇ１電極とＧ２電極とＧ３電極の３個の順次の電極とを含む。本発明の改良点は、上記Ｇ２電極が、その中のインラインの開孔のいずれかの側部に、上記開孔のインライン方向と並行する二つの直線状の突出部を有する点である。上記突出部は、それと重なり合う関係にある上記Ｇ３電極の開孔のある部分を越えて上記長手方向の軸と平行な方向に突出する。上記Ｇ２の電極に対向する上記Ｇ３電極の側部で、上記Ｇ３電極はインラインの開孔のいずれかの側部に二つの直線状のチャンネルを有する。上記チャンネルは、上記Ｇ２電極の上記突出部と直接的に隣接し、それと離間して重ねられた関係にある。かかる本発明の改良により、より堅いＧ２電極が提供され、Ｇ３電極を改造することにより、Ｇ２電極の改良によって誘起され得るアークの発生の可能性が最小限に抑えられる。
【０００６】
【発明の実施の形態】
詳細には、図１に示す如く、電子銃１０は、種々の電極がその上に取り付けられた二つの絶縁性支持ロッド１２からなる。上記電極は、以下の順序で長手方向の軸Ｚの方向にガラスロッド１２に沿って離間した三つの離間した同一平面上のカソード１４（図示しない）と、制御グリッド電極１６（Ｇ１）と、スクリーングリッド電極１８（Ｇ２）と、第１の前置集束電極２０（Ｇ３）と、第２の前置集束電極２２（Ｇ４）と、組み合わされた第３の前置集束電極及び第１の主集束電極２４（Ｇ５）と、第２の主集束電極２６（Ｇ６）とを含む。Ｇ１乃至Ｇ６電極の各々は、３本の同一平面状の電子ビームを通過させるためその中又はその端毎に３個のインラインの開孔を有する。銃１０の主静電集束レンズはＧ５電極２４とＧ６電極２６の間に形成されている。Ｇ５電極２４は、集束電圧が印加されるので集束電極とも呼ばれ、Ｇ６電極は、アノード電圧が印加されるのでアノード電極とも呼ばれる。Ｇ５電極２４は、開いた端で接続された二つのカップ形状の素子２８及び３０で形成されている。Ｇ６電極２６は、開いた端で接続された二つのカップ形状の素子３２及び３４で形成されている。遮蔽カップ３６は電子銃の出口で素子３４に取り付けられている。
【０００７】
電子銃１０の全ての電極は、二つの絶縁性支持ロッドに直接或いは間接的に取り付けられている。ロッドはＧ１電極１６とＧ２電極１８に延在し、かつ、Ｇ１電極１６とＧ２電極１８を支持し、或いは、上記二つの電極は何か別の絶縁性手段によってＧ３電極２０に取り付けられる。支持ロッドは、爪をロッドに嵌め込むため、加熱され、電極から延在する爪に押しつけられるガラスから作られることが好ましい。
【０００８】
Ｇ３電極２０は、その開いた端で取り付けられている二つのカップ形状の部品から構成されている。一方の部品は銃のビーム形成領域の一部分を形成し、もう一方の部品は銃の前置集束レンズの部品を形成する。
図２は従来技術のＧ２電極３８と、従来技術のＧ３電極４０の対向する側部を示している。上記電極間の最も近い間隔は、Ｇ２電極３８の開孔のある部分４２と、Ｇ３電極４０の開孔のある部分４４の間にある。開孔のある部分から外側で、Ｇ２電極３８の中間部分４６は、上記電極間の最も近い間隔より僅かに大きい距離でＧ３電極４０の中間部分４８から離れている。例えば、従来技術の一例において、開孔のある部分の最も近い間隔は０．７６ｍｍであり、中間部分の最も近い表面は０．８９ｍｍであり、中間部分４６上の点５０とＧ３電極４０の間隔は１．０８ｍｍである。
【０００９】
図３には、本発明に従って構成されたＧ２電極１８と、Ｇ３電極２０の対向する側部５２が示されている。Ｇ２電極１８は、３個のインラインの開孔（図示しない）と、インラインの開孔５６のいずれかの側部に二つの直線状の突出部５８を有する開孔のある部分５４を含む。突出部５８は、互いに並行し、かつ、インラインの開孔５６のインライン方向と平行している。両方の突出部５８は、Ｇ３電極２０の開孔のある部分６０を越えて電子銃１０の長手方向の軸Ｚと平行な方向に突出し、これにより、長手方向軸Ｚの方向でＧ３電極と幾分重なり合っている。Ｇ２電極１８の上に二つの直線状の突出部５８を包含することにより、電極の堅さが著しく改善される。しかし、Ｇ２電極１８に二つの大きい直線状の突出部を追加するので、他の変形が行われない場合、突出部がアーク閃光を形成する可能性が増加する。Ｇ２電極とＧ３電極の間のアークの危険性を低減するため、Ｇ３電極の形状を再設計することにより、突出部と、Ｇ３電極の全ての点の間の間隔が拡大される。
【００１０】
Ｇ３電極２０は、従来技術による中間部分４８が開孔のある部分４４に対するよりも大きい角度で開孔のある部分６０に対し傾斜され、開孔のある部分６０のインラインの開孔６６のいずれかの側部に二つの直線状のチャンネルを形成するため曲げられた中間部分６２を含む。チャンネル６４は電極１８の突出部５８に直接的に隣接し、それと離間して重ねられた関係にある。
【００１１】
本発明の好ましい一実施例において、Ｇ２電極とＧ３電極の夫々の二つの開孔のある部分５４と６０の間の間隔は０．８６４ｍｍであり、突出部５８とチャンネル６４の間の最も近い間隔は１．２６１ｍｍである。Ｇ２とＧ３電極の周辺部分の間の間隔の差は、大きい突出部を全く含まない図２の従来技術の例と比較して実質的に改善されている。その上、Ｇ３電極の開孔のある部分とＧ２電極の突出部の重なり合いがあるので、直線状の突出部は、Ｇ２とＧ３の間の領域を電子銃のＧ２とＧ３の間の領域を通過する可能性のある磁場を垂直方向に延在するあらゆる迷放射から保護する。
【図面の簡単な説明】
【図１】本発明の一実施例を組み込む電子銃の側面図である。
【図２】従来技術のＧ２電極と、従来技術のＧ３電極の対向部の側面断面図である。
【図３】図１の新規のＧ２電極と、新規のＧ３電極の対向部の側面断面図である。
【符号の説明】
１０    電子銃
１２    支持ロッド
１４    カソード
１６    制御グリッド電極（Ｇ１）
１８    スクリーングリッド電極（Ｇ２）
２０    第１の前置集束電極（Ｇ３）
２２    第２の前置集束電極（Ｇ４）
２４    第３の前置集束電極及び第１の主集束電極（Ｇ５）
２６    第２の主集束電極（Ｇ６）
５２    対向する側部
５４    開孔のある部分
５６，６６  インラインの開孔
５８    直線状の突出部
６０    Ｇ３電極の開孔のある部分
６２    中間部分
６４    直線状のチャンネル
【図１】
0003707836.tif 000002
【図２】
0003707836.tif 000003
【図３】
0003707836.tif 000004